(57)【要約】    【課題】  本発明は、簡単な構造であって、かつ、着脱が容易であり、しかも、コストが低減できる椅子の上張り及びその製造方法を提供することを目的とする。    【解決手段】本発明に係る椅子の上張りＣは、椅子を構成する背もたれ板又は座板を覆う椅子の上張りであって、上端及び下端が開口した丸編筒状生地の上端開口部及び下端開口部をそれぞれ縫着１１ａ、１１ｂして袋体Ｂを形成し、該袋体の一方の面を裏面としてその裏面に前記背もたれ板又は座板の出入口部２０を設けたことを特徴とするものである。    【選択図】        図５
2005270454.tif 000002
【特許請求の範囲】
【請求項１】
椅子を構成する背もたれ板又は座板を覆う椅子の上張りであって、上端及び下端が開口した丸編筒状生地の上端開口部及び下端開口部をそれぞれ接合して袋体を形成し、該袋体の一方の面を裏面としてその裏面に前記背もたれ板又は座板の出入口部を設けたことを特徴とする椅子の上張り。
【請求項２】
丸編筒状生地の上端開口部及び下端開口部の接合部が裏面側に位置するように袋体を形成したことを特徴とする請求項１に記載の椅子の上張り。
【請求項３】
椅子を構成する背もたれ板又は座板を覆う椅子の上張りであって、上端及び下端が開口した丸編筒状生地の一方の開口部を接合して袋体を形成し、他方の開口部を前記背もたれ板又は座板の出入口部としたことを特徴とする椅子の上張り。
【請求項４】
裏面の生地が表面の生地より短い丸編筒状生地を使用してなることを特徴とする請求項１〜３のいずれか１項に記載の椅子の上張り。
【請求項５】
上張りを装着する背もたれ板又は座板の表面形状が、直交する一方向を隆起させ、他方向を沈下させた形状であり、該表面形状を有する背もたれ板又は座板に装着されるためのものであることを特徴とする請求項１〜４のいずれか１項に記載の椅子の上張り。
【請求項６】
椅子を構成する背もたれ板又は座板を覆う椅子の上張りの製造方法であって、上端及び下端が開口した丸編筒状生地を２枚重ねの扁平状態に畳み、その上端から所定幅下がった位置までの所定区画の２枚重ねの生地及び下端から所定幅上がった位置までの所定区画の２枚重ねの生地をそれぞれ切除し、切除後の丸編筒状生地をその両側端が縦中央に位置するように畳み直し、畳み直し後の上端及び下端の所定幅を切除した面を裏面として、丸編筒状生地の上端開口部及び下端開口部をそれぞれ接合して袋体を形成し、該袋体の裏面に前記背もたれ板又は座板の出入口部を設けたことを特徴とする椅子の上張りの製造方法。
【発明の詳細な説明】
【技術分野】
【０００１】
本発明は、事務用椅子やソファー等の椅子の背もたれ部や座部に覆われている上張り及びその製造方法に関する。
【背景技術】
【０００２】
従来の椅子の背もたれ部や座部は、芯材とクッション材とからなる背もたれ板や座板とこれらを覆う上張りとから構成されており、クッション材の上を覆う上張りの周縁はクッション材及び芯材をくるんだ状態でその背面側や下面側において固定されている。このとき、上張りの周縁は、芯材にステープルを使って固着されたり接着剤を用いて固定される。例えば、クッション材と芯材とをくるんだ上張りの周縁は、ステープルで芯材に打ち付けられて固定され、体裁を整えるためにステープルが打ち込まれた箇所に沿って上張りの周縁が切除される。
【０００３】
しかしながら、上張りをステープルで芯材に固着する作業は、上張りを張り詰めた状態で固定する必要があるため、相当の力を要し、かつ、熟練した技術が必要である。しかも、上張りを芯材に固着した後に上張りの余分な縁・端末を切除する工程が必要となる。さらに、ステープルを使って上張りを芯材に固着した場合には、廃棄する際にステープルを抜き取る手間が掛かり、分別廃棄を困難なものにしている。
【０００４】
そこで、従来の椅子の上張りとして、図２０に示されるように、開口部１１３を有し、その開口部１１３を介して背もたれ部１０２の表面を被覆する位置に着脱可能に配設される上張り１０１であって、開口部１１３の内周縁に沿って縫着されるかがり糸１０５と、そのかがり糸１０５によって間接的に前記開口部１１３の内周縁に沿って略周回位置に縫い付けられると共に両端をそのかがり糸１０５の一部から外部に引き出した位置に配設される緊締用紐１０６とを具備してなり、緊締用紐１０６の緊張によって開口部１１３を閉塞し、開口部１１３の拡開によって緊締用紐１０６を弛緩させ得るように構成したものが開発された（特許文献１参照）。
【特許文献１】特開平９−１０４５０号
【発明の開示】
【発明が解決しようとする課題】
【０００５】
しかしながら、上記従来の椅子の上張り１０１においては、緊締用紐１０６を引き絞ることは、開口部１１３を閉塞するためだけではなく、椅子の表面で上張りを張り詰めた状態にする作用も果たすので、緊締用紐１０６は相当強く引き絞る必要があり、そのためかがり糸１０５がその緊締力に耐えきれずに切断されてしまったり、また、切断されてしまうと周縁の絞り込みが緩んで上張りに皺が生じたりするおそれがある。
【０００６】
また、上記のように、かがり糸１０５を縫い付けながら、緊締用紐１０６を縫着するなどの製作上の複雑さがあり、コスト高になる要因でもあった。
【０００７】
そこで本発明者らは、簡単な構造であって、かつ、着脱が容易であり、しかも、コストが低減できる椅子の上張り及びその製造方法を発明した。
【課題を解決するための手段】
【０００８】
本発明に係る椅子の上張りは、椅子を構成する背もたれ板又は座板を覆うものであって、上端及び下端が開口した丸編筒状生地の上端開口部及び下端開口部をそれぞれ接合して袋体を形成し、該袋体の一方の面を裏面としてその裏面に前記背もたれ板又は座板の出入口部を設けたことを特徴とするものである。
【０００９】
このように本発明に係る椅子の上張りを構成すれば、丸編による筒状生地を使用しているため、伸縮性があるので、どのような形状の椅子の背もたれ部や座部にでも適合し、かつ、背もたれ板や座板に装着しやすい利点がある。また、丸編生地に対して切断、縫合及び背もたれ板や座板の出入口部の形成作業を行うだけで上張りが出来上がるので、製造コストが軽減できる。
【００１０】
また、本発明に係る椅子の上張りとして、丸編筒状生地の上端開口部及び下端開口部の接合部が裏面側に位置するように袋体を形成した構成としてもよい。
【００１１】
このように構成すれば、表面側に縫着等による接合部が表れないので体裁がよく、また、表面側に接合部による凹凸がないので、この上張りを背もたれ板や座板に装着した椅子を使用した際に背もたれ部や座部に異物感がない。
【００１２】
さらに、本発明に係る椅子の上張りとして、椅子を構成する背もたれ板又は座板を覆う椅子の上張りであって、上端及び下端が開口した丸編筒状生地の一方の開口部を接合して袋体を形成し、他方の開口部を前記背もたれ板又は座板の出入口部とした構成としてもよい。
【００１３】
このように構成すると、椅子の上張りが背もたれ板又は座板に極めて容易に装着することができる。また、背もたれ板又は座板が収納される座部の台座を含めた全体を被覆することができ、また背もたれ板又は座板が収納される背もたれ部の台座を含めた全体を被覆することができるので便利である。
【００１４】
また、本発明に係る椅子の上張りとして、裏面の生地が表面の生地より短い丸編筒状生地を使用して構成してもよい。
【００１５】
このように構成すれば、上端開口部及び下端開口部の表面の生地の端部が裏面側まで回り込んで裏面の生地の端部と接合されるので、接合部がいずれも裏面側に位置することとなる。したがって、表面側に縫着等による接合部が表れないので体裁がよく、また、表面側に接合部による凹凸がないので、この上張りを背もたれ板や座板に装着した椅子を使用した際に背もたれ部や座部に異物感がない。
【００１６】
さらに、上張りを装着する背もたれ板又は座板の表面形状が、直交する一方向を隆起させ、他方向を沈下させた形状であり、本発明に係る椅子の上張りが、該表面形状を有する背もたれ板又は座板に装着されるためのものであるとしてもよい。
【００１７】
このように構成すると、背もたれ板又は座板に装着された上張りが、その伸縮性により、隆起箇所において外方に強く引っ張られて伸張するため、沈下箇所においてはその隆起箇所における引っ張り力により、沈下箇所における上張りが下方に引き寄せられるので、背もたれ板又は座板の形状に具合良く沿う状態となる。したがって、上張りが背もたれ板又は座板から浮き上がって不自然な状態になるようなことがなく、外観的にも優れたものとなる。
【００１８】
さらにまた、本発明に係る椅子の上張りの製造方法として、椅子を構成する背もたれ板又は座板を覆う椅子の上張りの製造方法であって、上端及び下端が開口した丸編筒状生地を２枚重ねの扁平状態に畳み、その上端から所定幅下がった位置までの所定区画の２枚重ねの生地及び下端から所定幅上がった位置までの所定区画の２枚重ねの生地をそれぞれ切除し、切除後の丸編筒状生地をその両側端が縦中央に位置するように畳み直し、畳み直し後の上端及び下端の所定幅を切除した面を裏面として、丸編筒状生地の上端開口部及び下端開口部をそれぞれ接合して袋体を形成し、該袋体の裏面に前記背もたれ板又は座板の出入口部を設けるようにしてもよい。
【００１９】
上記の方法により椅子の上張りを製造すると、上端開口部及び下端開口部の表面の生地の端部が裏面側まで回り込んで裏面の生地の端部と接合されるので、接合部がいずれも常に裏面側に位置することとなる。したがって、表面側に縫着等による接合部が表れないので体裁がよく、また、表面側に接合部による凹凸がないので、この上張りを背もたれ部や座部に装着した椅子を使用した際に背もたれ部や座部に異物感がない椅子の上張りを提供することができる。
【発明の効果】
【００２０】
上記した本発明に係る椅子の上張り及びその製造方法によれば、従来の椅子の上張りにおける欠点が全て解消でき、作業性がよく、コストも軽減でき、廃棄の際の分別が容易な椅子の上張りを提供することができる。
【発明を実施するための最良の形態】
【００２１】
以下に、本発明を実施するための最良の形態について詳述する。
【実施例１】
【００２２】
以下に、添付の図面に基づき、本発明に係る椅子の上張りの好適な実施例について詳述する。
【００２３】
図１は本実施例に係る椅子の上張りを構成する裁断前の丸編筒状生地の斜視図であり、図２は前図に示す丸編筒状生地の裁断方法を示す平面図であり、図３は裁断後の丸編筒状生地を畳み直した状態を示す平面図であり、図４は前図において開口部を縫着した袋体を示す平面図であり、図５は前図に示す袋体に出入口部を設けた上張りの斜視図であり、図６は椅子を構成する背もたれ板の分解斜視図であり、図７は前図に示すクッション材に上張りを装着した状態を示す斜視図であり、図８は椅子を構成する座板の分解斜視図であり、図９は前図に示すクッション材に上張りを装着した状態を示す斜視図であり、図１０は図７及び図９に示す芯材とクッション材をそれぞれ結合した背もたれ板と座板を示す斜視図であり、図１１は前図に示す背もたれ板と座板とを椅子に装着した状態を示す斜視図である。
【００２４】
［上張りの作成］
図１に示すＡは、丸編機で編成された筒状の生地であって、適宜のサイズに裁断し、その上端及び下端が開口した丸編筒状生地である。該丸編筒状生地Ａを図２に示すように２枚重ねの扁平な状態に畳み、その上端ａ１から所定幅下がった位置までの所定の区画Ａ１の２枚重ねの生地及び下端ａ２から所定幅上がった位置までの所定の区画Ａ２の２枚重ねの生地を切除して、丸編筒状加工地Ａ’を作成する。
【００２５】
そして、切除後の前記丸編筒状加工地Ａ’を、その左側端ａ３及び右側端ａ４が、図３に示すように縦中央に位置するように畳み直す。この図３に示されるように、上端ａ１及び下端ａ２の所定幅を切除した面が裏面であり、裏面の生地が表面の生地より短くなって、その裏面側の上部に上端開口部１０ａが、下部に下端開口部１０ｂがそれぞれ現れる。この上端開口部１０ａ及び下端開口部１０ｂを図４に示すようにそれぞれ突き合わせて縫着することにより接合し、袋体Ｂを作成する。１１ａ、１１ｂは縫着線である。
【００２６】
前記袋体Ｂの裏面に、後述する椅子を構成する背もたれ板又は座板の出入口部２０を形成すると、本実施例に係る上張りＣが構成される。
【００２７】
［背もたれ板への装着］
図６は、図１１に示す椅子Ｐを構成する背もたれ板Ｅを芯材Ｅ１とクッション材Ｅ２とに分離した状態を示すものであり、前記上張りＣを、その丸編地の伸縮性を利用し、出入口部２０を引き伸ばして、該出入口部２０から該クッション材Ｅ２を挿入すると図７に示す状態となる。図７において、上張りＣが装着されたクッション材Ｅ２を芯材Ｅ１に嵌め込むと図１０に示す背もたれ板Ｅの状態となる。
【００２８】
［座板への装着］
図８は、図１１に示す椅子Ｐを構成する座板Ｆを芯材Ｆ１とクッション材Ｆ２とに分離した状態を示すものであり、前記上張りＣを、その丸編地の伸縮性を利用し、出入口部２０を引き伸ばして、該出入口部２０から該クッション材Ｆ２を挿入すると図９に示す状態となる。図９において、上張りＣが装着されたクッション材Ｆ２を芯材Ｆ１に嵌め込むと図１０に示す背もたれ板Ｆの状態となる。
【００２９】
［椅子の組み立て］
上記のようにして構成した上張りＣを装着した背もたれ板Ｅ及び上張りＣを装着した座板Ｆを、椅子のフレームＬを構成する背もたれ板の台座や座板の台座に固着させると、図１１に示すような背もたれ部及び座部を備えた椅子Ｐが完成する。
【００３０】
以上のように本実施例に係る椅子の上張りＣは、丸編による筒状生地を使用しているため、伸縮性があるので、椅子の形状に拘ることなく適合し、かつ、背もたれ板のクッション材Ｅ２や座板のクッション材Ｆ２に容易に装着できる。また、丸編生地Ａに対して、前述したように、切断、縫合及び背もたれ板のクッション材Ｅ２や座板のクッション材Ｆ２の出入口部２０を形成する作業を行うだけで上張りが簡単に出来上がるので、製造コストが軽減できる。
【００３１】
また、表面側に縫着部１１ａ、１１ｂが表れないので体裁がよく、また、表面側に縫着部１１ａ、１１ｂによる凹凸がないので、この上張りＣを使用した際に背もたれ部や座部に異物感がない。
【００３２】
なお、本実施例における上張りＣは、上端ａ１及び下端ａ２が開口した丸編筒状生地Ａの上端開口部１０ａ及び下端開口部１０ｂをそれぞれ縫着して袋体Ｂを形成し、該袋体Ｂの裏面に背もたれ板又は座板の出入口部２０を設けたものであるが、これに限られるものではなく、上端及び下端が開口した丸編筒状生地の一方の開口部を縫着して袋体を形成し、他方の開口部を背もたれ板又は座板の出入口部とした構成としてもよい。このように構成した場合には、上張りが背もたれ板又は座板に極めて容易に装着することができる。また、背もたれ板又は座板が収納される座部の台座を含めた全体を被覆することができ、また背もたれ板又は座板が収納される背もたれ部の台座を含めた全体を被覆することができるので便利である。
【実施例２】
【００３３】
図１２は上張りの表面側の斜視図であり、図１３は上張りの裏面側の斜視図であり、図１４は背もたれ板のクッション材の斜視図であり、図１５は前図に示すクッション材に上張りを装着している状態を示す斜視図であり、図１６は前記クッション材に上張りを装着した表側の状態を示す斜視図であり、図１７は前記クッション材に上張りを装着した裏側の状態を示す斜視図であり、図１８は前図に示すクッション材の垂直方向の断面図であり、図１９は図１７に示すクッション材の水平方向の断面図である。
【００３４】
図１２及び図１３に示す２Ｃは上張りであって、前述した実施例１における丸編筒状生地Ａよりやや長めの生地を使用し、実施例１に示す製法と同様の方法で作成されたものであり、図中に示す縫着線１１ａ、１１ｂの箇所で縫着され、出入口部２０を備えたものである。
【００３５】
図１４に示す２Ｅ２は、背もたれ板のクッション材であって、その左右両端部には折り曲げ部２ｅを備えた幅広のものである。このクッション材２Ｅ２の表面形状が、以下に、詳述するように直交する一方向を隆起させ、他方向を沈下させた形状である。
【００３６】
このクッション材２Ｅ２を前記上張り２Ｃに、その伸縮性のある出入口部２０を利用し、図１５に示すように、上張り２Ｃの出入口部２０から挿入して装着する。そうすると、図１６〜図１９に示すように、クッション材２Ｅ２にフィットした状態で上張り２Ｃが装着される。このようにフィットする理由は、上張り２Ｃを装着する背もたれ板の表面形状、すなわちクッション材２Ｅ２の表面部２ｓの形状が、図１８に示すように、その垂直方向において隆起しているため、その隆起箇所において、上張り２Ｃが、その伸縮性により、矢符Ｇ１、Ｇ２で示すように上下方向に強く引っ張られて伸張する。そのため、クッション材２Ｅ２の表面部２ｓの形状が、図１９に示すように、その水平方向に沈下していても、この沈下箇所においては、隆起箇所における上下方向の引っ張り力により、矢符Ｇ３で示すように、上張り２Ｃの表面生地がクッション材２Ｅ２の表面部２ｓ側に引き寄せられる。その結果、上張り２Ｃはクッション材２Ｅ２の表面に近接してフィットする状態となる。
【００３７】
したがって、上張り２Ｃがクッション材２Ｅ２から浮き上がって不自然な状態になるようなことがなく、外観的にも優れたものとなる。なお、座板のクッション材に対しても同様に実施することが可能である。
【図面の簡単な説明】
【００３８】
【図１】本発明に係る実施例１であって、椅子の上張りを構成する裁断前の丸編筒状生地の斜視図である。
【図２】前図に示す丸編筒状生地の裁断方法を示す平面図である。
【図３】裁断後の丸編筒状生地を畳み直した状態を示す平面図である。
【図４】前図において開口部を縫着した袋体を示す平面図である。
【図５】前図に示す袋体に出入口部を設けた上張りの斜視図である。
【図６】椅子を構成する背もたれ板の分解斜視図である。
【図７】前図に示すクッション材に上張りを装着した状態を示す斜視図である。
【図８】椅子を構成する座板の分解斜視図である。
【図９】前図に示すクッション材に上張りを装着した状態を示す斜視図である。
【図１０】図７及び図９に示す芯材とクッション材をそれぞれ結合した背もたれ板と座板を示す斜視図である。
【図１１】前図に示す背もたれ板と座板とを椅子に装着した状態を示す斜視図である。
【図１２】本発明に係る実施例２であって、上張りの表面側の斜視図である。
【図１３】前図に示す上張りの裏面側の斜視図である。
【図１４】本発明に係る実施例２における背もたれ板のクッション材の斜視図である。
【図１５】前図に示すクッション材に図１２に示す上張りを装着している状態を示す斜視図である。
【図１６】背もたれ板に上張りを装着した表側の状態を示す斜視図である。
【図１７】背もたれ板に上張りを装着した裏側の状態を示す斜視図である。
【図１８】前図に示す背もたれ板の垂直方向の断面図である。
【図１９】図１７に示す背もたれ板の水平方向の断面図である。
【図２０】従来の椅子における背もたれ部及び座板部の構造を示す分解斜視図である。
【符号の説明】
【００３９】
Ａ・・・丸編筒状生地
ａ１・・丸編筒状生地の上端
ａ２・・丸編筒状生地の下端
Ａ’・・丸編筒状加工地
ａ３・・丸編筒状加工地後の左側端
ａ４・・丸編筒状加工地後の右側端
１０ａ・上端開口部
１０ｂ・下端開口部
Ｂ・・・袋体
１１ａ・縫着線
１１ｂ・縫着線
２０・・出入口部
Ｃ・・・上張り
Ｐ・・・椅子
Ｅ・・・背もたれ板
Ｅ１・・芯材
Ｅ２・・クッション材
Ｆ・・・座板
Ｆ１・・芯材
Ｆ２・・クッション材
Ｌ・・・椅子のフレーム
２Ｃ・・上張り
２Ｅ２・クッション材
２ｅ・・折り曲げ部
２ｓ・・クッション材の表面部
【図１】
2005270454.tif 000003
【図２】
2005270454.tif 000004
【図３】
2005270454.tif 000005
【図４】
2005270454.tif 000006
【図５】
2005270454.tif 000007
【図６】
2005270454.tif 000008
【図７】
2005270454.tif 000009
【図８】
2005270454.tif 000010
【図９】
2005270454.tif 000011
【図１０】
2005270454.tif 000012
【図１１】
2005270454.tif 000013
【図１２】
2005270454.tif 000014
【図１３】
2005270454.tif 000015
【図１４】
2005270454.tif 000016
【図１５】
2005270454.tif 000017
【図１６】
2005270454.tif 000018
【図１７】
2005270454.tif 000019
【図１８】
2005270454.tif 000020
【図１９】
2005270454.tif 000021
【図２０】
2005270454.tif 000022